(57)【要約】【課題】  アルミニウムの押出成形が可能で、表面に止めネジが露出しておらず、更に、基本的な複数種類の分割体を用いて引き戸の数に合わせて幅広の引戸レールを形成することが可能な床用付設物を提供する。【解決手段】  長さ方向に所定の間隔でネジ挿通孔を形成して底面を床面への接地面とする全体が所定の幅と長さを有する細長の板状である床面への固着部の一側縁に沿って、長さ方向に一体に連設された底面を前記固着部の底面と面一として形成した床面への設置面の上方に長さ方向に向けて開口する所定幅と所定深さのレール溝を形成して前記固着部と一体成形されるレール溝部または前記床面への接地面の上方に床材の縁部を接合する頂面が前記床材と面一となる高さを有する接合部を形成した付設物本体と、前記付設物本体の固着部を覆うカバー体と、前記固着部を覆う前記カバー体を前記固着部の所定位置に保持する弾性保持部材とからなる。【選択図】図２
2016151088.tif 000002
【特許請求の範囲】
【請求項１】
長さ方向に所定の間隔でネジ挿通孔を形成して底面を床面への接地面とする全体が所定の幅と長さを有する細長の板状である床面への固着部の一側縁に沿って、長さ方向に一体に連設された底面を前記固着部の底面と面一として形成した床面への設置面の上方に長さ方向に向けて開口する所定幅と所定深さのレール溝を形成して前記固着部と一体成形されるレール溝部または前記床面への接地面の上方に床材の縁部を接合する頂面が前記床材と面一となる高さを有する接合部を形成した付設物本体と、前記付設物本体の固着部を覆うカバー体と、前記固着部を覆う前記カバー体を前記固着部の所定位置に保持する弾性保持部材とからなることを特徴とする床用付設物。
【請求項２】
前記カバー体と同じ構成のカバー体部と、前記付設物本体と同じ構成の付設物本体の長さ方向に延びる一側縁において所定の間隔を有する板状の連結部を介して一体に連結された第２の付設物本体および前記第２の付設物本体を前記付設物本体に保持させるための第２の弾性保持部材を有することを特徴とする請求項１記載の床用付設物。
【請求項３】
前記カバー体のレール溝部側の側縁には前記レール溝部の固着部側の頂面に沿って固着部側に突設された所定厚さと幅の係止突条とその下方に位置する固着部との間に形成される係止凹条に嵌合する係止突条が形成されるとともにカバー体のもう一方の側の底面に前記固着部に併設される前記板状の弾性保持部材に突設された弾性係止突条に弾性係止する係止凹条が形成されていることを特徴とする請求項１または２記載の床用付設物。
【請求項４】
前記固着部が前記カバー体と前記固着部との間に形成される隙間に配置可能な扁平な頭部および底面を有する止めネジにより床面に固着されることを特徴とする請求項１，２または３記載の床用付設物。
【請求項５】
前記固着部材のレール溝部、カバー体および第２の固着部材の頂部が面一になるような高さを有していることを特徴とする請求項１，２，３または４記載の床用付設物。
【発明の詳細な説明】
【技術分野】
【０００１】
本発明は、床面に付設される引戸用のレールおよび床材同士の継ぎ目、床材と扉や窓等を構成する部材との継ぎ目、これらの継ぎ目や段差等を覆うために付設される見切り材などの床用付設物に関するものである。
に関する。
【背景技術】
【０００２】
従来、引戸の下面に設置された戸車が走行する凹状のレール溝を有する引戸用レールとして床面に直接、固着するものが知られている。このような床面に直接、固着するタイプの引戸用レールは床面に溝を形成するような敷居タイプと異なり床面加工が不要なので施工が簡単である。
【０００３】
ところで、このような床面に直接、固着するタイプの戸車用レールでは、レールが床面に突出するので高さを制限して全体として扁平に形成し、床面との段差を少なくして高齢者、身障者、車椅子などの通行の障害にならないような構造が要求される。
【０００４】
前記要求に応えるために、従来、例えばステンレス鋼材のような堅く錆びにくい堅牢な金属により形成されたものが知られているが、ステンレス鋼材は剛堅である反面、現場での切断加工などが容易でなく、設置箇所の状況や寸法を予め調べて適合するように加工したものを現場で設置する必要があった。そのため、製品の製造、管理が複雑となり、特に、現場で裁断（切断）加工をすることができないのでその場で調整などの対処が困難であった。
【０００５】
そこで、現場での切断加工が可能な例えばアルミニウムの押出成形により形成した引戸レールを用いることが提案されており、例えば特開平９−６７９７４号公報（特許文献１（図７（ａ））、特開２００２−３０８５３号公報（特許文献２（図７ｂ））などに提示されている。
【０００６】
ところが、これらの引戸用レールは例えば特開２００１−３３６３４２号公報（特許文献３（図７（ｃ）参照））に示すように、レール溝やその側方部分に形成したネジ挿通孔から差し込んだ止めネジにより床面に設置、固着するものであった。
【０００７】
従って、固着に用いた止めネジがレールの表面に露出していることから美観的に問題があり、加えて、固着させた止めネジが緩んだりして持ち上がると走行面に固着させた場合には戸車の走行に支障を来すことになり、また、頂面の場合には足裏を損傷したりする心配もある。
【０００８】
更に、前記従来のこの種の引戸用レールは、使用する引戸の枚数に応じてレール溝を設置しなければならず、例えば単一の引戸の場合と複数を並列させた場合とはレール全体のレール溝の数が異なるばかりか全体の幅も異なり、それぞれ全く別途に成形されており、使用する引戸の枚数に応じて複数種類のものを製造、保管しておく必要があり、特に多数の枚数に使用するものは複数のレール溝を並列したものとなり幅も広くなり、保管や運搬に不便であるばかりか設置時にも取り扱いにくいという問題点もある。
【０００９】
この点につき、使用する引戸の枚数に応じて予め設定した複数のパネル部品を適宜組み合わせて必要な数のレール溝を有するように現場で構成可能とした引戸レールが、例えば特開平１１−２００６９７号公報などに提示されているが、これらの引戸レールは幅方向に隣接させて接続する部材によりＶ形のレール溝を形成するものであり、従来のように予め個別のレール溝を形成した型材を使用するものでなくレール溝の強度が十分でない。また、使用目的も引戸下レールであって、構成も薄形でなく床面に直接設置するような用途には向かない。
【００１０】
また、従来から、フローリングの小口やカーペットの縁などの床表面材の端部を覆い、他の床材などとの縁を切るための長尺物の建築部材として床見切材が用いられており、これらの床見切材について設置が簡単なものが例えば実用新案登録第３０６６２３０号公報（（特許文献５（図８（ａ））、特開２００４−１５０１１１号公報（特許文献６（図８（ｂ））などに提示されている。
【００１１】
ところが、前記従来の特許文献５に提示されている床見切材は、直角側端部の上面に下レール前後上部のフランジが嵌る切り欠き部を、直角側端部の下端に突条を、底面に両面テープを嵌める浅い凹部をそれぞれ形成したものであり、接着テープで固定することから強度が十分でなく、取り外し後の再使用が困難であり、また、特許文献６に提示されている床見切材は、設置作業が簡単で取り外し後の再利用も可能であるが、全体が適宜硬質の合成樹脂材により形成されているものであり、質感が美麗でなく、強度も万全とはいえない。
【先行技術文献】
【特許文献】
【００１２】
【特許文献１】特開平９−６７９７４号公報
【特許文献２】特開２００２−３０８５３号公報
【特許文献３】特開２００１−３３６３４２号公報
【特許文献４】特開平１１−２００６９７号公報
【特許文献５】実用新案登録第３０６６２３０号公報
【特許文献６】特開２００４−１５０１１１号公報
【発明の開示】
【発明が解決しようとする課題】
【００１３】
本発明は前記課題を解決するためになされたものであり、アルミニウムの押出成形により形成した引戸の下面に設置された戸車が走行する凹状のレール溝を有する直接床面に設置、固着する薄形の引戸用レールや床用見切材などの床用付設物において、表面に床面固着用の止めネジが露出しておらず、外観の美観が優れているとともに止めネジが緩むことにより生じる戸車の走行障害や足裏の損傷などもなく、更に、基本的な複数種類の分割体を用いることにより現場で使用する引き戸の数に合わせて幅広の引戸レールを形成することが可能で引戸の数に合わせて幅を広げた複数種類のものを用意しておくこともない床用付設物を提供することを課題とするものである。
【課題を解決するための手段】
【００１４】
前記課題を解決するためになされた本発明である床用付設物は、長さ方向に所定の間隔でネジ挿通孔を形成して底面を床面への接地面とする全体が所定の幅と長さを有する細長の板状である床面への固着部の一側縁に沿って、長さ方向に一体に連設された底面を前記固着部の底面と面一として形成した床面への設置面の上方に長さ方向に向けて開口する所定幅と所定深さのレール溝を形成して前記固着部と一体成形されるレール溝部または前記床面への接地面の上方に床材の縁部を接合する頂面が前記床材と面一となる高さを有する接合部を形成した付設物本体と、前記付設物本体の固着部を覆うカバー体と、前記固着部を覆う前記カバー体を前記固着部の所定位置に保持する弾性保持部材とからなることを特徴とする。
【００１５】
また、本発明において、前記カバー体と同じ構成のカバー体部と、前記付設物本体と同じ構成の付設物本体の長さ方向に延びる一側縁において所定の間隔を有する板状の連結部を介して一体に連結された第２の付設物本体および前記第２の付設物本体を前記付設物本体に保持させるための第２の弾性保持部材を有することで複数列のレール溝を並列させる場合にも対応可能である。
【００１６】
更に、前記カバー体のレール溝部側の側縁には前記レール溝部の固着部側の頂面に沿って固着部側に突設された所定厚さと幅の係止突条とその下方に位置する固着部との間に形成される係止凹条に嵌合する係止突条が形成されるとともにカバー体のもう一方の側の底面に前記固着部に併設される前記板状の弾性保持部材に突設された弾性係止突条に弾性係止する係止凹条が形成されている場合には、カバー体を簡単且つ確実に保持させることができる。
【００１７】
更にまた、本発明において、前記固着部が前記カバー体と前記固着部との間に形成される隙間に配置可能な扁平な頭部および底面を有する止めネジにより床面に固着されることにより扁平な床用付設物を提供することができる。また、止めネジの底面を扁平にすることで強固に螺締してもバネ材が変形してしまう心配もない。
【００１８】
加えて、本発明において、前記固着部材のレール溝部、カバー体および第２の固着部材の頂部が面一になるような高さを有していることにより美観が向上する。
【発明の効果】
【００１９】
本発明によれば、アルミニウムの押出成形により形成したことから現場での切断作業が容易である。また、床面に固定するために使用する止めネジが露出しないので外観が美麗であることは言うまでもなく、使用時の浮き上がりによる障害もなく、また、付設物本体が引戸用レールの場合には第２の付設物本体を使用することにより複数列を一体成形した幅広のものを使用する必要が無く、特に、引戸が並列型の引戸レールを用いる場合にも容易に対応可能である。
【図面の簡単な説明】
【００２０】
【図１】本発明である床用付設物が引戸用レールである場合の好ましい実施の形態における縦断面図であり、（ａ）は分解した状態の縦断面図、（ｂ）は組み立てた状態の縦断面図。
【図２】図１に示した実施の形態における使用状態を示す概略斜視図。
【図３】本発明である床用付設物が引戸用レールである場合の異なる実施の形態を示す縦断面図であり、（ａ）は分解した状態の縦断面図、（ｂ）は組み立てた状態の縦断面図。
【図４】図３に示した実施の形態の概略斜視図。
【図５】本発明である床用付設物が引戸用レールである場合の更に異なる実施の形態の組み立てた状態の縦断面図。
【図６】本発明である床用付設物が床用見切材である場合の好ましい実施の形態を示す縦断面図であり、（ａ）は高さの等しい床材の間に設置した場合の縦断面図、（ｂ）は高さの異なる床材の間に設置した場合の縦断面図。
【図７】従来例を示す説明図。
【図８】異なる従来例を示す説明図。
【発明を実施するための形態】
【００２１】
以下、本発明の実施の形態について図面を参照して説明する。
【００２２】
図１乃至図２は床用付設物が単一の引戸に対応した引戸用レールである本発明の好ましい実施の形態を示すものであり、本実施の形態は、主として、長さ方向に所定の間隔でネジ挿通孔１１を形成して底面１２を床面２への接地面とする全体が所定の幅と長さを有する細長の板状である床面２への固着部１の一側縁に沿って長さ方向に一体に連設された底面３１を前記固着部１の底面１２と面一として床面２への設置面として上方に長さ方向に向けて開口する所定幅と所定深さのレール溝３２を形成して前記固着部１と一体成形されるレール溝部３とからなり例えばアルミニウムの押出成形によりそれぞれ一体的に形成される付設物本体４と、アルミニウムの押出成形により形成される付設物本体４の固着部１を覆うカバー体５とから形成される。
【００２３】
また、前記固着部１を覆う前記カバー体５を前記固着部１の所定位置に保持する弾性保持部材６は例えばステンレス鋼材のような適宜の弾性材により形成された所定の幅と長さを有する板状で所定位置に取り付け用のネジ挿通孔６１が形成されているとともに一端に弾性係止突条６２が形成されている
【００２４】
本実施の形態では、前記付設物本体のカバー体を保持させた際の幅は３２ｍｍ、高さは４．３ｍｍ程度に形成されて、床面２に設置した際に生じる段差を少なくして段差により生じる弊害を防止可能としている。また、それぞれの長さについては特に制限されないが、保管や運搬に支障なく、現場での切断作業や設置作業の際に邪魔にならない程度が好ましい。
【００２５】
更に、詳細に説明すると、本実施の形態では、前記カバー体５のレール溝部３側の側縁には前記レール溝部３における固着部１側の頂面３３に沿って固着部１側に突設された所定厚さと幅の係止突条３４とその下方に位置する固着部１との間に形成される係止凹条３５に嵌合する係止突条５１が形成されている。
【００２６】
また、カバー体５のもう一方の側の底面５２に前記固着部１に併設される前記板状の弾性保持部材６に突設された弾性係止突条６２を弾性係止する係止凹条５３が形成されている。
【００２７】
次に、図２に基いて本実施の形態の使用方法について説明する。
【００２８】
本実施の形態を使用するには、まず、付設物本体４およびカバー体５を設置現場での設置に合わせて切断して長さを調整する。このとき、本実施の形態では付設物本体４およびカバー体５がアルミニウム製であることから現場に搬送可能な簡易な工具を用いて作業者によって正確に測定した長さに容易且つ確実に調整することができる。
【００２９】
次に、図２（ａ）に示すように、床面２の設置箇所に付設物本体４を配置するとともに、付設物本体４の固着部１上に弾性係止部材６を配置する。このとき、固着部１に形成したネジ挿通孔１１に弾性係止部材６に形成したネジ挿通孔６１を重ねて連通し、これらに止めネジ７を差込み螺締することで１つの作業で付設物本体４を床面２に固着できるとともに付設物本体４の固着部１に弾性係止部材６を固着することができる。
【００３０】
特に、本実施の形態では、弾性保持部材６は前記ネジ挿通孔６１を前記固着部１のネジ挿通孔１１に連通させたときに内側縁が固着部１に形成される係止凹条３５の内側面に沿って接触した状態で配置されるので止めネジ７により弾性保持部材６および固着部１を固着させる際に弾性保持部材６が空回りせずに所定位置に容易且つ確実に配置、固着することができる。
【００３１】
尚、本実施の形態では全体の高さを４．３ｍｍ程度と低く設定していることから使用する止めネジ７として通常用いるものを使用すると固着部１とカバー体５との間に形成される隙間に頭部７１が収まらないので、頭部７１の高さの低い特別品を用いることが必要である。
【００３２】
以上のように付設物本体４が床面に設置、固着されたならば、図２（ｃ）に示すようにカバー体５を傾けて、一方の側縁に形成されている係止突条５１を、前記係止突条３４とその下方に位置する固着部１との間に形成される係止凹条３５に差込み、次いで、もう一方の側縁を固着部１に向けて（床面方向に）押し込むことでカバー体５の底面に形成されている係止凹条５３に弾性係止突条６２が嵌合してカバー体５が工具や固着部材を用いることなしに簡単且つ確実に保持させることかできる（図２（ｄ）に示す状態）。
【００３３】
また、本実施の形態は、現場で切断加工が可能であるばかりか、床面２に固定するために使用する止めネジ７が露出しないので外観が美麗であることは言うまでもなく、使用時に止めネジ７の浮き上がりも防止でき、浮き上がったとしても障害もない。加えて、本実施の形態は予め設定した複数の部品により形成されているので使用時においてそれらの一部が損傷したとしても損傷した部品だけを修理或いは交換できるので維持費も安くて済む。
【００３４】
図３及び図４は本発明の異なる実施の形態を示すものであり、付設物本体４、カバー体５およびカバー体５を付設物本体４に保持させるための弾性保持部材６については前記図１および図２に示した実施の形態に示したものと同様のものであり、更に、第２の付設物本体８および前記第２の付設物本体８を前記付設物本体４に保持させるための第２の弾性保持部材９を有している点が異なる。
【００３５】
そして、前記第２の付設物本体８は、前記カバー体５と同じ構成のカバー体部５１と付設物本体４と同じ構成のものを長さ方向に延びる側縁において所定の間隔（幅）を有する板状の連結部８１を介して一体的に形成したものである。
【００３６】
本実施の形態は、図１（ｂ）に示すように、付設物本体４の固着部１を床面２の所定位置に止めネジ７を用いて固着するとともに前記止めネジ７に介装した弾性保持部材６を付設物本体４の所定位置に固着し、次いで、第２の付設物本体８のカバー体５の部分を前記図１および図２に示した実施の形態と同様にして前記付設物本体４の固着部１に保持させるとともに第２の付設物本体８の固着部１の部分を止めネジ７により床面２の所定位置に固着し、更に、前記止めネジ７により固着部１の部分に固着した第２の弾性保持部材９を用いて、第２の付設物本体８の固着部１の部分にカバー体５を保持させて引戸用レールである床用付設物を完成させるものである。
【００３７】
本実施の形態では、前記付設物本体４および第２の付設物本体８に形成されているレール溝３２，３２が所定の間隔で長さ方向に並列するので２枚の引戸を用いた場合のレールとして対応することができるものである。特に、第２の付設物本体８における連結部８１の幅を予め互いのレール溝３２，３２の間隔が２枚の引戸に合致する所定のレール間隔になるような長さとしておくことで所望のレールを配置することができる。
【００３８】
本実施の形態も、前記図１および図２に示した実施の形態と同様に、現場での切断加工が容易で止めネジ７が露出しないので外観が美麗であることに変わりなく、特に、複数のレールを並列して設置しなければならないような複数枚の引戸に対応する場合にもレール溝を並列させた幅広の部材を必要としないので保管や運搬に便利であり、特に、現場での設置時にも取り扱いが容易で施工し易いという利点がある。
【００３９】
更に、本実施の形態は、第２の付設物本体８と第２の弾性保持部材９を追加するだけで更に多くの引戸を用いる場合のレールとして使用することができることも利点である。図５は２組の第２の付設物本体８と第２の弾性保持部材９を追加して３個のレール溝３２，３２，３２を並列させて３枚の引戸に対応可能にしたものであり、このようにしてレール溝３２を増加することにより多条の引戸用レールを設置現場で簡単に形成することができるものである。
【００４０】
更に、図６は、床用付設物が床用見切材である本発明の好ましい実施の形態を示すものである。特に、図６（ａ）に示すものは、同一高さの床材１０Ａ，床材１０Ｂの間に設置される場合を示したものであり、使用する部材並びに設置方法は前記図１に示した床用付設物として単一の溝レールを用いた場合とほぼ同様であるが付設物本体４には上方に長さ方向に向けて開口する所定幅と所定深さのレール溝３２を有していない点が異なる。
【００４１】
本実施の形態によると、簡単且つ確実に床用見切り材としての機能を発揮させることができる。
【００４２】
一方、図６（ｂ）に示したものは、床材１０Ａと床材１０Ｂとの厚さが異なり段差が生じる箇所に使用する床用見切材であって、全体の機構そのものは前記図６（ａ）に示した実施の形態とほぼ同様であるが、付設物本体４が固着部１の一側縁に沿って、長さ方向に一体に連設された底面を前記固着部の底面と面一として形成した床面への設置面の上方に長さ方向に向けて床材１０Ｂの縁部を接合する頂面４１が前記厚い方の床材１０Ｂと面一となる高さを有する接合部４２を形成している。
【００４３】
また、付設物本体４の固着部１を覆うカバー体５が、前記接合部４２の固着部１側の壁面４３に形成した係止凹条３５に係止突条５１を差し込んだ際に頂部５４が前記接合部４２の頂面４４に同一となるとともに先端側にもう一方の薄い方の床材１０Ａの厚さに等しい高さを有する脚部５５とを連結する傾斜面であるカバー面５６を有している点が異なり、設置手段や作用、効果はほぼ同様であり、設置が簡単且つ確実で、止めネジも露出せず、素材も合成樹脂でなくても実施することができるので強度も十分で高級感もあり、美観的にも優れている。
【００４４】
以上のように本発明である床用付設物は、引戸用レールや床用に限らず見切り材など各種の用途についても実施することができるものである。
【符号の説明】
【００４５】
１  固着部、２  床面、３  レール溝部、４  付設物本体、５  カバー体、６  弾性保持部材、７  止めネジ、８  第２の付設物本体、９  第２の弾性保持部材、１０Ａ  床材、１０Ｂ  床材、１１  ネジ挿通孔、１２  底面、３１  底面、３２  レール溝、３３  頂面、３４  係止突条、３５  係止凹条、４１  頂面、４２  接合部、４４  頂面、５１  係止突条、５２  底面、５３  係止凹条、５５  脚部、５６  カバー面、６１  ネジ挿通孔、６２  弾性係止突条、７１  頭部、８１  連結部
【図１】
2016151088.tif 000003
【図２】
2016151088.tif 000004
【図３】
2016151088.tif 000005
【図４】
2016151088.tif 000006
【図５】
2016151088.tif 000007
【図６】
2016151088.tif 000008
【図７】
2016151088.tif 000009
【図８】
2016151088.tif 000010